(57)【特許請求の範囲】
【請求項１】
通信網と接続された電話装置と、この電話装置に接続された複数のコードレス子機と、これらコードレス子機と前記電話装置との通話動作を制御する本体側コードレス機とを備えたデジタルコードレス電話システムにおいて、
前記複数の各コードレス子機は、当該一のコードレス子機が前記通信網を介して外線と通話中に他のコードレス子機からの内線通話呼が入力された場合に、前記一のコードレス子機の通話者により設定される転送通話情報に基づいて当該外線との通話接続状態を前記電話装置に切替え接続すると共に、前記他のコードレス子機に接続して当該内線通話を実行する内線通話切替機能を備えていることを特徴としたデジタルコードレス電話システム。
【請求項２】
前記請求項１に記載のデジタルコードレス電話システムにおいて、
前記本体側コードレス機を、前記電話装置とは別筐体に収容された別装置として構成すると共に、標準インタフェースを介して前記電話装置に着脱自在に接続したことを特徴とするデジタルコードレス電話システム。
【請求項３】
前記請求項１又は２に記載のデジタルコードレス電話システムにおいて、
前記本体側コードレス機が、前記外線と通信中の前記一のコードレス子機から前記電話装置又は他のコードレス子機を呼び出すと共に、通信中の外線を介する相手方と三者通話を実行する三者通話実行設定機能を具備していることを特徴としたデジタルコードレス電話システム。
【請求項４】
前記請求項１乃至３の何れか１つに記載のデジタルコードレス電話システムにおいて、
前記本体側コードレス機が、前記電話装置とコードレス子機間又はコードレス子機相互間の内線二者通話実行設定機能を具備していることを特徴とするデジタルコードレス電話システム。
【請求項５】
前記請求項１乃至４の何れか１つに記載のデジタルコードレス電話システムにおいて、
前記電話装置は、通常の電話送受話器からなるハンドセットを備えると共に、マイクとスピーカで構成されるハンズフリー通信機能を備えていることを特徴としたデジタルコードレス電話システム。
【請求項６】
前記請求項１乃至５の何れか１つに記載のデジタルコードレス電話システムにおいて、
前記電話装置は、テレビ電話機能を備えていることを特徴とするデジタルコードレス電話システム。
【請求項７】
前記請求項１乃至５の何れか１つに記載のデジタルコードレス電話システムにおいて、
前記電話装置が、ファクシミリ機能を備えていることを特徴とするデジタルコードレス電話システム。
【請求項８】
前記請求項１乃至７の何れか１つに記載のデジタルコードレス電話システムにおいて、
前記電話装置を、電話アプリケーションプログラムを搭載したパーソナルコンピュータを主体として構成したものであることを特徴とするデジタルコードレス電話システム。
【請求項９】
通信網と接続された電話装置と、この電話装置に接続された複数のコードレス子機と、これらコードレス子機と前記電話装置との通話動作を制御する本体側コードレス機とを備えたデジタルコードレス電話システムにあって、
前記複数のコードレス子機の内の一のコードレス子機が前記通信網を介して外線と通信中に他のコードレス子機からの内線通話呼が入力された場合に、前記一のコードレス子機がこれを受信する内線呼受信工程と、
前記一のコードレス子機側の通話者が前記電話装置に対して通話転送の申請を設定した場合に、当該転送申請情報を前記電話装置に送信する通話転送申請工程と、
前記一のコードレス子機からの通話転送申請情報に基づいて当該外線との通話接続状態を前記電話装置に切替え接続すると共に、前記他のコードレス子機に通話接続して当該内線通話を実行する内線通話切替え工程と、
を備えたことを特徴とする通話切替え転送方法。
【請求項１０】
通信網と接続された電話装置と、この電話装置に接続された複数のコードレス子機と、これらコードレス子機と前記電話装置との通話動作を制御する本体側コードレス機とを備えたデジタルコードレス電話システムにあって、
前記複数のコードレス子機の内の一のコードレス子機が前記通信網を介して外線と通信中に他のコードレス子機からの内線通話呼が入力された場合に、当該一のコードレス子機がこれを受信する内線呼受信処理機能、
前記一のコードレス子機側の通話者により設定される転送通話情報に基づいて当該外線との通話状態を前記電話装置に切替え接続する切替え接続機能、
およびこの切替え接続と共に当該一のコードレス子機は前記他のコードレス子機に通話接続して当該内線通話を実行可能状態に設定する内線通話切替え処理機能、をコンピュータに実行させるようにしたことを特徴とした通話切替え実行プログラム。
【発明の詳細な説明】
【技術分野】
【０００１】
本発明は、デジタルコードレス電話システムに係り、特に内線通話中に他の子機から呼び出しを受けるコードレス子機が転送機能を有するデジタルコードレス電話システムに関する。
【背景技術】
【０００２】
コードレス電話システムは、公衆電話網などに接続された親電話装置とコードレス子機との間を無線通信で結ぶ電話システムである。親電話装置（親機ともいう）を加入者が設置し、コードレス子機は通常その親機が設置された宅内あるいは構内とその近傍でのみ利用可能な点が、携帯電話やＰＨＳ（Personal Handy phone System ）などの移動体通信とは異なる。
【０００３】
当初、レンタルで旧日本電信電話公社より提供が開始され、１９８７年のコードレス電話機の販売自由化以降急速に普及した。日本においては、長らく無線通信はアナログ方式が主流であったが、２００６年に２．４〔ＧＨｚ〕のデジタル方式が各社から販売され主流になりつつある。デジタル方式は、周波数ホッピング方式を採用していることと相俟って盗聴されにくいという特徴を備えている。
【０００４】
従来より一般に知られているデジタルコードレス電話システム（関連技術）のシステム構成図を、図９に示す。この図９において、電話装置２０１は、ハンドセット２０７を含む通常の電話機能又はファクシミリ機能付電話機能のほか、コードレス子機の親機機能である本体側コードレス機２０２をも内蔵した構成になっている。コードレス子機２０５とドアフォン（コードレス子機）２０６は、無線で親機としての機能を持つ本体側コードレス機２０２を介してハンドセット２０７或いは外線（相手局２０８）と通話を行う。
このようなデジタルコードレス電話システムにおいて、その利便性を向上させるため、例えば、コードレス子機同士が直接双方向の通話が可能になる工夫（例えば特許文献１、特許文献２参照）やコードレス子機から親機に通話を転送する（特許文献３参照）などの工夫がなされてきた。
【特許文献１】特開平６−２３７４８３号公報
【特許文献２】特開平８−１１６５７３号公報
【特許文献３】特開平８−１５４１２７号公報
【発明の開示】
【発明が解決しようとする課題】
【０００５】
しかしながら、関連するデジタルコードレス電話システムにおいて、コードレス子機２０５が外線としての相手局２０８と通話している最中に、ドアフォン２０６からコードレス子機２０５に内線呼び出しがあった場合、コードレス子機２０５はドアフォン２０６からの内線呼び出しに応答できないで内線通話ができないか、又は内線通話をする場合には、それまでの通話中の相手局２０８との通話を切断したり或いは一旦保留状態にしておいてコードレス子機２０５とドアフォン２０６と内線通話するため、相手局２０８は切断されるか保留で待たされる、という不便性を抱えていた。
【０００６】
このデジタルコードレス電話システムが置かれている所に人が１人しかいない場合は、同時に２人と通話できないので上記システムでもよかったが、複数人がいる場合には内線通話と外線通話と同時に独立しておこなえるシステムがあれば便利である。
【０００７】
（発明の目的）
本発明は、上記問題点に鑑み、外線通話中のコードレス子機に他の内線子機から内線呼び出しがあった場合に、当該内線呼び出しに対応し得る共に通話中の外線は切断又は保留することなく他の電話装置又は空きコードレス子機により通話を継続することを可能としたデジタルコードレス電話システムを提供することを、その目的とする。
【課題を解決するための手段】
【０００８】
前記課題を解決するために、本発明に係るデジタルコードレス電話システムは、通信網と接続された電話装置と、この電話装置に接続された複数のコードレス子機と、これらコードレス子機と前記電話装置との通話動作を制御する本体側コードレス機とを備え、前記複数の各コードレス子機は、当該一のコードレス子機が前記通信網を介して外線と通話中に他のコードレス子機からの内線通話呼が入力された場合に、前記一のコードレス子機の通話者により設定される転送通話情報に基づいて当該外線との通話接続状態を前記電話装置等に切替え接続すると共に、前記他のコードレス子機に接続して当該内線通話を実行する内線通話切替機能を備えていることを特徴とする。
【０００９】
また、前記課題を解決するために、本発明に係る通話切換え転送方法は、通信網と接続された電話装置と、この電話装置に接続された複数のコードレス子機と、これらコードレス子機と前記電話装置との通話動作を制御する本体側コードレス機とを備えたデジタルコードレス電話システムにあって、前記複数のコードレス子機の内の一のコードレス子機が前記通信網を介して外線と通信中に他のコードレス子機からの内線通話呼が入力された場合に、前記一のコードレス子機がこれを受信する内線呼受信工程と、前記一のコードレス子機側の通話者が前記電話装置に対して通話転送の申請を設定した場合に、当該転送申請情報を前記電話装置に送信する通話転送申請工程と、前記一のコードレス子機からの通話転送申請情報に基づいて当該外線との通話接続状態を前記電話装置に切替え接続すると共に、前記他のコードレス子機に通話接続して当該内線通話を実行する内線通話切替え工程と、を備えたことを特徴とする。
【００１０】
更に、前記課題を解決するために、本発明に係る通話切換え実行プログラムは、通信網と接続された電話装置と、この電話装置に接続された複数のコードレス子機と、これらコードレス子機と前記電話装置との通話動作を制御する本体側コードレス機とを備えたデジタルコードレス電話システムにあって、前記複数のコードレス子機の内の一のコードレス子機が前記通信網を介して外線と通信中に他のコードレス子機からの内線通話呼が入力された場合に、前記一のコードレス子機がこれを受信する内線呼受信処理、前記一のコードレス子機側の通話者が前記電話装置に対して通話転送の申請を設定した場合に、当該転送申請情報を前記電話装置に送信する通話転送申請処理、前記一のコードレス子機は前記他のコードレス子機に通話接続して当該内線通話を実行する内線通話切替え処理、をコンピュータに実行させるように構成したことを特徴とする。
【発明の効果】
【００１１】
本発明は以上のように構成され機能するので、これによると、従来は外線通話中のコードレス子機に他の内線電話機から内線呼び出しがあったときは応答できないか又は相互に内線通話をする場合には外線を切断又は一時保留しなければならなかったものを、内線通話を行いながら、更に外線を切断・保留することなく他の電話装置又は他のコードレス子機へ通話転送して当該通話の継続を可能とし、これによって利便性向上が図られたコードレス電話システムを提供することができるという従来にない優れた効果を奏する。
【発明を実施するための最良の形態】
【００１２】
〔実施例〕
次に、本発明の一実施例を添付図面に従って説明する。
図１は、本実施例に係るデジタルコードレス電話システムの構成を示すブロック図である。この図１に示すデジタルコードレス電話システムは、電話装置１１、周辺装置としての本体側コードレス機１２、コードレス子機１５、及びドアフォン（第２のコードレス子機）１６を備えて構成されている。
【００１３】
ここで、電話装置１１は、公衆電話網やインターネットなど広域網を介して相手局１８と接続・通話できるアナログモデムや、ＶｏＩＰ（Voice over Internet Protocol、ＩＰ電話）を制御できるモデムなどを登載し、更に、ハンドセット１７、マイクとスピーカで構成されるハンズフリーの通話機能部も備えて構成されている。
【００１４】
また、上記電話装置１１は、本体側コードレス機１２との通信制御機能を担う子機制御部１９とインタフェースを備え、周辺装置としての本体側コードレス機１２と接続できる構成となっている。このインタフェースは、シリアル又はパラレルインタフェースのどちらでもよく、ＰＣＭＣＩＡ（Personal Computer Memory Card Interface Association ）規格、ＵＳＢ（Universal Serial Bus）規格など標準の各種インタフェースの使用が可能である。電話装置１１の具体例としては、電話アプリケーションプログラムを搭載しているパーソナルコンピュータを主体に構成したもの、又テレビ電話専用機、ファクシミリ機能付電話機などであってもよい。
【００１５】
本体側コードレス機１２は、内部に電話装置１１とのインタフェース機能を司る子機機能部１３と、コードレス子機１５，１６との通話・信号制御を司る親機としての機能を備える親機機能部１４を備えて構成されている。特に、本発明の実施例に特有のコードレス子機１５から通話中の外線通話を電話装置１１へ転送するための「ビジー切断信号」を電話装置１１へ中継・転送する機能を備えている（これについては後述する）。
【００１６】
又、本体側コードレス機１２は、電話装置１１とは別筐体の周辺装置として、例えばＵＳＢ（Universal Serial Bus）等の標準規格インタフェースを介して着脱自在に構成してもよい。これにより、コードレス親機機能が電話装置１１から分離され構成されるので、例えば電話機能ソフトウェアを搭載したパーソナルコンピュータ等の電話装置１１がコードレス機能を持たない場合にも、子機制御部１９の機能を有するプログラムを内在させるだけで、コードレス子機１２を簡単に外部接続できるようになり、柔軟なシステム構成が可能になる。
【００１７】
コードレス子機１５は、基本的な構成と機能は市販されているコードレス子機でよいが、後に詳述するように、外線通話中のコードレス子機１５に内線通話呼が発生した場合に、外線通話を電話装置１１等に転送するための転送制御操作を行なう「転送通話ボタン」や、ビジー切断信号送出等の機能を実現するための機能を備えている。又、ドアフォン１６もコードレス子機１５と同様のコードレス機能を搭載したものを使用している。
【００１８】
又、本デジタルコードレス電話システムは、相手局１８と電話装置１１を介して外線と通話中のコードレス子機１５にドアフォン（第２のコードレス子機）１６からの内線通話の呼が発生した場合に、通話者の転送操作によりコードレス子機１５は外線の通話を電話装置１１又は他のコードレス子機に転送して別の通話者が外線通話を継続しながら、コードレス子機１５自身は、ドアフォン（第２のコードレス子機）１６と内線通話を行う機能を備えたことを特徴としている。以下、この特徴を含め動作の詳細を説明する。
【００１９】
（動作説明）
次に、本実施例に係るデジタルコードレス電話システムの動作を、図２乃至図４の通話シーケンス図と、図５乃至図８に示す処理フローチャート図を参照して詳細に説明する。  ここで、図５は電話装置１１における処理フローチャート図、図６は子機制御部１９における処理フローチャート図、図７は本体側コードレス機１２における処理フローチャート図、図８はコードレス子機１５における処理フローチャート図を、各々示す。
【００２０】
（通常の通話シーケンス）
先ず、一対一の外線・内線通話の場合の通話シーケンスを、図２に基づいて説明する。最初の通話開始は、相手局１８又は電話装置（「自局」ともいう）のどちらか一方からのダイアルにより始まる。図２では、一例として相手局１８からのダイアルにより通話が開始した場合を説明している。
【００２１】
電話装置１１は、このとき電話装置１１内での呼び出しリング音を鳴動する（Ｒｉｎｇ鳴動）と共に、子機制御部１９に呼出があったことを知らせる呼出信号ＣＬを送出する（図５、ステップＳ１１１，Ｓ１１２）。
【００２２】
子機制御部１９は、本体側コードレス機１２からの呼出信号ＣＬを順次コードレス子機１５まで伝達し（子機制御部１９での処理：図６のステップＳ１９１，Ｓ１９２、本体側コードレス機１２での処理：図７のステップＳ１２１，Ｓ１２２）、コードレス子機１５で着信応答行為（オフフック）がなされた場合は( コードレス子機１５での処理：図８のステップＳ１５１、Ｓ１５２) 、着信信号ＣＢが呼出信号ＣＬとは逆の通知順で相手局１８まで伝わる（図８のステップＳ１５３、図７のステップＳ１２３，Ｓ１２４、図６のステップＳ１９３，Ｓ１９４、図５のステップＳ１１３，Ｓ１１４）。
この着信信号ＣＢの返送をもって、通話が開始されることになる（図５のステップＳ１１５，Ｓ１１６）。
【００２３】
また通話が終了すると最後には回線を切断する必要があるが、この切断信号ＤＣは、通話中の相手局１８からでもコードレス子機１５からでもよく、図２では相手局１８から送出された場合を示している（図５のステップＳ１２０，Ｓ１２１、図６のステップＳ１９７，Ｓ１９８、図７のステップＳ１３７，Ｓ１３８、図８のステップＳ１５８，Ｓ１５９）。
【００２４】
（転送通話）
次に、外線（相手局１８）と通話中のコードレス子機１５にドアフォンからの来客対応などの内線通話が発生した場合に、外部の通話相手を保留状態にしなくとも、内線通話が可能になる本システムの特徴的な仕組みについて、図３の通話通の呼出転送（ドアフォン優先）の通話シーケンス図に基づいて説明する。
【００２５】
外線（相手局１８）とコードレス子機１５の通話開始は、前述した一対一の通話開始と同様であり、相手局１８からダイアルがありコードレス子機１５で着信応答して通話がなされている状態を示している。ここでドアフォン１６から来客などにより呼出が発生した場合に、コードレス子機１５が先ずこの呼出を受信する（内線呼受信工程、図８のステップＳ１５４）。
【００２６】
次に、通話者がコードレス子機１５上の「転送通話ボタン」操作により通話転送の申請を設定すると（図８のステップＳ１５５）、まず、図３に示すように、コードレス子機１５は転送申請情報としてのビジー切断信号ＢＤを本体側コードレス機１２に通知する（通話転送申請工程、図８のステップＳ１５６、ビジー切断信号送出工程）ことにより、コードレス子機１５自らがビジー状態になったことを本体側コードレス機１２に知らせる一方、ドアフォン１６に対しては着信のための着信信号ＣＢを通知し（内線通話切換え工程、図８のステップＳ１５６）、コードレス子機１５とドアフォン１６間の内線通話が可能な状態となる。
【００２７】
一方、本体側コードレス機１２は電話装置１１（又は第３のコードレス子機）にコードレス子機１５のビジーを知らせることにより（図７のステップＳ１３５，Ｓ１３６）、電話装置１１自らが相手局１８との通話に切り替えることができる（図５のステップＳ１１７，Ｓ１１８）。これにより、外線である相手局１８とは電話装置１１（実際にはハンドセット１７又はハンズフリー）で通話し（図５のステップＳ１１９）、コードレス子機１５はドアフォン１６と通話することができる（図８のステップＳ１５７）。
【００２８】
勿論、コードレス子機１５は、相手局１８と通話中にドアフォン１６からの呼び出しに応答したくないときは、「転送通話ボタン」の操作をしなければよい( 図８のステップＳ１５５で着信しないということ) 。
【００２９】
またドアフォン１６からの呼び出しに応答するために、「転送通話ボタン」を操作した場合は、電話装置１１が相手局１８と通話状態になるのであるが、自動的になるのではなく、電話装置１１で通話開始操作（オフフック）がされるまでは（図５のステップＳ１１８）、「しばらくお待ち下さい」などのメッセージが流れるようになっており（図５のステップＳ１２２）、電話装置１１で通話開始操作が行われた時に初めて、相手局１８と電話装置１１の通話ができる（図５のステップＳ１１９）。
【００３０】
この機能は、電話装置１１とコードレス子機１５が同じ部屋にあって、同時に複数の人間が存在する場合に来客があった場合、一人が来客のためドアフォン対応ができ、且つ他の人物が相手局との対応が継続できるという運用が可能になる。
【００３１】
尚、前述した特許文献３において外線通話中のコードレス子機がその通話を転送方法として公表されているものは、コードレス子機が通話を転送するとき、親機（電話装置）が一旦外線を保留状態にして、親機にオンチャージされたコードレス子機等にリンガ呼び出しし、親機自らオンフックにより外線の保留を解除して通話できるという面倒な操作が必要とされた。また、コードレス子機が本体側コードレス機に外線通話を開放する場合にも、自ら開放するのではなく親機からの信号によって動作するような構成となっている。
【００３２】
それに対して、本発明に係るデジタルコードレス電話システムは、上述したようにコードレス子機に転送通話情報が入力されると、ビジー切断信号を送出し電話装置に外線との接続を指示し、前記コードレス子機自体が外線を切断し、前記コードレス子機を呼び出した内線電話との接続・通話に移ることができ操作性に優れている。
【００３３】
ここで、上述した内線呼受信工程、通話転送申請工程（ビジー切断信号送出工程）、及び内線通話切換え工程の各工程については、その処理内容をプログラム化し、コンピュータで実行できるようにしてもよい。
【００３４】
（内線２者間通話）
次に、内線の任意の二者同士の通話について、図４に基づいて説明する。本実施例では、電話装置１１は子機制御部１９と子機機能部１３を介して本体側コードレス機１２の親機能部１４と接続され、親機機能部１４に対する一つの子機の位置づけになっている。コードレス子機１５とドアフォン１６もそれぞれ親機機能部１４の子機であるので、電話装置１１とコードレス子機１５とドアフォン１６それぞれの間の通話は子機間通話として実現される。図４には、上から順に、電話装置１１とコードレス子機１５間の２者通話、電話装置１１とドアフォン１６間の２者通話、コードレス子機１５とドアフォン１６間の２者通話が示されている。各々の２者通話における通話シーケンスは、それぞれ通信開始のための呼出着信応答、通話、切断の各シーケンスから成り、これらシーケンスについてはこれまでの説明と同一か容易に類推可能であるので説明は省く。
【００３５】
（３者通話）
また、外線と内線２者の３者通話の機能であるが、図２の例において、コードレス子機１５の着信信号ＣＢの通知を、電話装置１１が受けて相手局１８に中継するときに、電話装置１１自らも着信応答操作（オフフック）することにより、電話装置１１からも音声のデータを受信／送信することで３者通話が実現する（図５のステップ１１５，１１６）。３者通話のためには３者の内の２者の音声を合成して残りの１者に送出する音声合成器が必要であるが、これらは親機能を持つ本体側コードレス機１２に装備されている。
【００３６】
さらに、映像を見ながら通話できるテレビ電話の機能は、電話装置１１が映像を送受信することができるテレビ電話装置として構成されていると、その映像データは本来その装置がもつ機能として電話装置１１内で表示でき、音声のみをコードレス子機１５で通話することにより、テレビ電話装置から離れた場所で通話が可能となる。すなわち、ソファなどに座ってリラックスしながら、少し離れたところにある電話装置１１で映像を見ながらテレビ電話通話が可能になる。
【００３７】
以上説明した構成と動作によって、本実施例に係るデジタルコードレス電話システムは次のような効果を奏する。
第１の効果は、電話装置とコードレス子機が同じ部屋にあって、同時に複数の人間が存在する場合に来客があった場合、一人が来客のためドアフォン対応ができ、かつ他の人物が相手局との対応が継続できるという運用が可能になる。
第２の効果は、本体側コードレス機を電話装置とは別装置とし、標準インタフェースで着脱自在に接続できる構成とすることによって、柔軟なコードレス電話システムが提供可能になる。
第３の効果は、電話装置、コードレス子機とドアフォンはそれぞれ子機間通話が可能である。
第４の効果は、相手局と、電話装置と、コードレス子機とで３者通話が実現できる。
第５の効果は、電話装置が映像を送受信することができるテレビ電話装置ならば、その映像データは本来その装置がもつ機能として電話装置内で表示でき、音声のみは、コードレス子機で通話するという、映像と音声を別々の離れた装置で操作したいときにそれが実現可能になる。
【００３８】
以上のように本発明によれば、電話装置とそれにつながるデジタル子機とで外線通話と内線通話が重なったとき、その２つの通話とも行える効果があるので、複数人のオペレータの存在する環境では、外線での電話応対と、ドアフォンとの応対が同時にしたい場合に適用できる。また、相手局と自局内の電話装置を使用するオペレータと自局内コードレス子機を使用するオペレータの３者で電話会議するといった用途にも適用可能である。
【図面の簡単な説明】
【００３９】
【図１】本発明の一実施例に係るデジタルコードレス電話システムのブロック構成図である。
【図２】図１に開示した実施例に係るデジタルコードレス電話システムの通話シーケンス図である。
【図３】図１に開示した実施例に係るデジタルコードレス電話システムの外線通話中の呼出転送の通話シーケンス図である。
【図４】図１に開示した実施例に係るデジタルコードレス電話システムの内線同士の通話状態の通話シーケンス図である。
【図５】図１に開示した実施例に係るデジタルコードレス電話システムの電話装置の処理フローチャート図である。
【図６】図１に開示した実施例に係るデジタルコードレス電話システムの子機制御部の処理フローチャート図である。
【図７】図１に開示した実施例に係るデジタルコードレス電話システムの本体側コードレス機の処理フローチャート図である。
【図８】図１に開示した実施例に係るデジタルコードレス電話システムのコードレス子機の処理フローチャート図である。
【図９】本実施例で開示した発明に関連する公知のデジタルコードレス電話システムを示すブロック図である。
【符号の説明】
【００４０】
１１  電話装置
１２  本体側コードレス機
１３  子機機能部
１４  親機能部
１５  コードレス子機
１６  ドアフォン（コードレス子機）
１７  ハンドセット
１８  相手局
１９  子機制御部
ＢＤ  ビジー切断信号
ＣＬ  呼出信号
ＣＢ  着信信号
ＤＣ  切断信号
【図１】
0004524488.tif 000002
【図２】
0004524488.tif 000003
【図３】
0004524488.tif 000004
【図４】
0004524488.tif 000005
【図５】
0004524488.tif 000006
【図６】
0004524488.tif 000007
【図７】
0004524488.tif 000008
【図８】
0004524488.tif 000009
【図９】
0004524488.tif 000010